(57)【要約】【課題】  ラケットスピードの低下を招くことなく、打球に対する反発力を増加させて、打球スピード、打球回転性能などを向上させることができる新規な卓球用ラケットを提供する。【解決手段】  複数枚の薄板４ａ〜４ｅを接着剤５で接着して積層した合板１の表面、又は表裏両面にラバー２を接着した卓球用ラケットＡにおいて、合板１における隣り合わせる薄板４ａ，４ｂの間、４ｅ，４ｄの間に繊維シート６を介在させる。繊維シート６は、ポリパラフェニレンベンゾビスオキサゾールからなる長繊維を、横糸６ａ及び縦糸６ｂとして交織しシート状に形成した高分子繊維シートとする。【選択図】  図２
0003111478.tif 000002
【実用新案登録請求の範囲】
【請求項１】
複数枚の薄板を接着剤で接着して積層した合板の表面、又は表裏両面にラバーを接着した卓球用ラケットであって、前記合板における隣り合わせる薄板の間に繊維シートを介在させてなり、該繊維シートが、ポリパラフェニレンベンゾビスオキサゾールからなる長繊維を横糸及び縦糸として交織しシート状に形成した繊維シートであることを特徴とする卓球用ラケット。
【請求項２】
前記繊維シートにおける糸密度が、横糸方向：１５〜３５ヤーン／１インチ、縦糸方向：１５〜３５ヤーン／１インチであることを特徴とする請求項１記載の卓球用ラケット。
【請求項３】
前記繊維シートが、重量：１００〜１５０ｇ／ｍ２、厚さ：０．０５〜０．３５ｍｍであることを特徴とする請求項２記載の卓球用ラケット。
【請求項４】
前記繊維シートを、前記合板における表裏の最外層の薄板と、該薄板に隣り合わせる内側の薄板との間に介在させたことを特徴とする請求項３記載の卓球用ラケット。
【考案の詳細な説明】
【技術分野】
【０００１】
本考案は、卓球用ラケットの改良に関する。
【背景技術】
【０００２】
従来から、複数枚の薄板を接着剤で接着して積層した合板（ブレード）の表面、又は表裏両面にラバーを接着した卓球用ラケットが知られている。このような構成のラケットは、複数の薄板を接着したにすぎないため、ボールの反発性能に劣り、強い打球感が得られないという問題がある。
【０００３】
一方、前記した複数の薄板間に、アラミド繊維やカーボン繊維などからなるシートを介在させた卓球用ラケットが提案されている（例えば特許文献１参照）。しかし、このようなラケットは、繊維シートの重量が加わるのでラケットが重くなり、ラケットスピードを低下させるという問題がある。
【０００４】
【特許文献１】特開２００４−３２９３０３号公報
【考案の開示】
【考案が解決しようとする課題】
【０００５】
本考案はこのような従来事情に鑑みてなされたもので、その目的とする処は、ラケットスピードの低下を招くことなく、打球に対する反発力を増加させて、打球感、打球スピード、打球回転性能などを向上させることができる新規な卓球用ラケットを提供することにある。
【課題を解決するための手段】
【０００６】
以上の目的を達成するために、本願考案者等は鋭意研究を重ねた結果、ポリパラフェニレンベンゾビスオキサゾールからなる長繊維を横糸、縦糸としてシート状に紡織した高分子繊維シートを用いることが、ラケットの重量化を招くことなく、打球に対する反発力を増加させ、打球スピード、打球回転性能などを向上し得ることを知見し、本考案を完成するに至った。
【０００７】
すなわち、本考案に係る卓球用ラケットは、複数枚の薄板を接着剤で接着して積層した合板の表面、又は表裏両面にラバーを接着した卓球用ラケットであって、前記合板における隣り合わせる薄板の間に繊維シートを介在させてなり、該繊維シートが、ポリパラフェニレンベンゾビスオキサゾールからなる長繊維を横糸及び縦糸として交織しシート状に形成した高分子繊維シートであることを特徴とする。
【０００８】
前記高分子繊維シートにおける糸密度が、横糸方向、縦糸方向において、１５ヤーン／１インチ未満であると、打球に対する反発力の増加作用が得られなくなる虞れがある。また、同横糸方向、縦糸方向において、３５ヤーン／１インチを超えると、ラケットの重量化を招く虞れがあるので好ましくない。よって、前記高分子繊維シートにおける糸密度は、横糸方向：１５〜３５ヤーン／１インチで、且つ、縦糸方向：１５〜３５ヤーン／１インチであることが好ましい。より好ましい糸密度は、横糸方向：３０ヤーン／１インチで、且つ、縦糸方向：３０ヤーン／１インチである
【０００９】
また、前記高分子繊維シートが、重量：１００ｇ／ｍ２未満、または、厚さ：０．０５ｍｍ未満であると、打球に対する反発力の増加作用が得られなくなる虞れがある。また、高分子繊維シートが、重量：１５０ｇ／ｍ２、または、厚さ：０．３５ｍｍを超えると、ラケットの重量化を招く虞れがあるので好ましくない。よって、高分子繊維シートが、重量：１００〜１５０ｇ／ｍ２、厚さ：０．０５〜０．３５ｍｍであることが好ましい。より好ましい重量は１３０ｇ／ｍ２、厚さは０．２０ｍｍである。
【００１０】
前記高分子繊維シートは、前記合板における隣り合わせる任意の薄板間に介在させることもできるし、前記合板における隣り合わせる全ての薄板間に介在させることもできる。すなわち、前記高分子繊維シートを介在させる箇所、介在させる数に応じて、使用者の好みに応じた所望の打球感、打球スピード、打球回転性能などを得ることができる。
但し、公式試合用として認定されているラケットの規格（木材に対する繊維シートの使用割合）や、ラケットの重量化防止、好ましい反発力を得ることなどを考慮すれば、前記高分子繊維シートを、前記合板における表裏の最外層の薄板と、該薄板に隣り合わせる内側の薄板との間に介在させることが好ましい。
【考案の効果】
【００１１】
本考案に係る卓球用ラケットは以上説明したように、合板における隣り合わせる薄板の間に、ポリパラフェニレンベンゾビスオキサゾールの長繊維からなる高分子繊維シートを介在させたので、卓球用ラケットの反発力を高めて、優れた打球感、打球スピード、打球回転性能が得られると共に、アラミド繊維やカーボン繊維からなるシートを用いる場合に比べ軽量化される。よって、使用者にかかる負担を最小限に抑えると共に、所望の打球感、打球スピード、打球回転性能などを得ることができる新規な卓球用ラケットとして提供することができた。
【考案を実施するための最良の形態】
【００１２】
以下、本考案に係る卓球用ラケットの実施形態の一例を図面に基づき説明する。
図１に示す卓球用ラケットＡは、合板１の表面又は表裏両面にラバー２を接着すると共に、合板１の後端部にグリップ部材３を接着してグリップを構成してなる。
【００１３】
合板１は図２に示すように、複数枚の薄板４ａ〜４ｅを、エポキシ系接着剤，木工用接着剤などの接着剤５で接着すると共に、合板１における表裏の最外層の薄板４ａ，４ｅと、該薄板４ａ，４ｅに隣り合わせる内側の薄板４ｂ，４ｄとの間に、繊維シート６を接着剤５で接着して介在させた積層体である。
尚、繊維シート６を介在させる箇所は、必ずしも前記の箇所に限定されず、例えば、隣り合わせる薄板４ｂ，４ｃの間と薄板４ｃ，４ｄの間に介在させたり、全ての薄板４ａ〜４ｅの間に介在させることもでき、使用者の好みや用途等に応じて、任意に選択することができる。但し、公式試合用規格や、ラケットＡの重量化防止、好ましい反発力を得ることなどを考慮すれば、図示例のように、合板１における表裏の最外層の薄板４ａ，４ｅと、これに隣り合わせる内側の薄板４ｂ，４ｄとの間に繊維シート６を介在させることが好ましい。
また、本例では５枚の薄板４ａ〜４ｅを積層させているが、これに限定されず、使用者の要求する打球感や用途等に応じ、２枚以上の所望数の薄板からなる積層体とすることができる。この場合も、繊維シート６を介在させる箇所は任意であるが、前述したように、最外層の薄板と、これに隣り合わせる内側の薄板との間に介在させることが好ましい。
【００１４】
繊維シート６は、図３に拡大して示すように、ポリパラフェニレンベンゾビスオキサゾールからなる長繊維（東洋紡社製の商品名「ザイロン」）を横糸６ａ、縦糸６ｂとして交織しシート状に形成した高分子繊維シートである。詳しくは、前記長繊維を用いて、繊維シート６における糸密度が、横糸方向：１５〜３５ヤーン／１インチ、縦糸方向：１５〜３５ヤーン／１インチになると共に、該繊維シート６の重量が１００〜１５０ｇ／ｍ２、厚さが０．０５〜０．３５ｍｍになるよう形成されている。
【００１５】
以上の構成になる本例の卓球用ラケットＡによれば、ポリパラフェニレンベンゾビスオキサゾールの長繊維からなる繊維シート６を用いたことにより、反発力が高く、優れた打球感、打球スピード、打球回転性能が得られると共に、該繊維シート６は軽量のため、使用者にかかる負担を最小限に抑えることができる。また、薄板４ａ〜４ｅの枚数や繊維シート６の介在箇所を変更することで、使用者の好みに応じた所望の打球感、打球スピード、打球回転性能などを得ることができるなど、多くの効果を有する。
【００１６】
以下、より詳細な実施例と比較例を用いて行った打球感テストについて説明する。
【００１７】
（実施例）
図１〜図３に示す構成で、且つ長繊維（東洋紡社製の商品名「ザイロン」）により、糸密度が横糸方向：３０ヤーン／１インチ、縦糸方向：３０ヤーン／１インチになると共に、重量：１３５ｇ／ｍ２、厚さ：０．２０ｍｍとなるよう交織した繊維シート６を用いた卓球用ラケットを実施例とした。
【００１８】
（比較例）
繊維シート６を用いず、５枚の薄板を接着した合板を用いたこと以外は、実施例１と同様の卓球用ラケットを作製し、比較例とした。
【００１９】
これら実施例と比較例のラケットと公式球、公式卓球台を用いて、通常ルールによりゲームを行った処、複数の使用者から、打球感、打球スピード、打球回転性能において、比較例よりも実施例の方が優れているとの回答を得られた。
【００２０】
以上、本考案の実施形態の一例を図面、実施例などに基づいて説明したが、本考案に係る卓球用ラケットはこれらに限定されるものではなく、実用新案登録請求の範囲に記載された技術的思想の範疇において、種々の変更が可能であることは言うまでもない。
また、図示例ではシェークハンドタイプの卓球用ラケットを示したが、本考案はペンホルダータイプの卓球用ラケットにも適用可能なことは言うまでもない。
【図面の簡単な説明】
【００２１】
【図１】本考案に係る卓球用ラケットの実施形態の一例を示す斜視図。
【図２】図１に係るラケットの合板の一部拡大縦断面図。
【図３】本考案で用いる繊維シートの拡大平面図。
【符号の説明】
【００２２】
Ａ：卓球用ラケット
１：合板
２：ラバー
４：薄板
５：接着剤
６：繊維シート
６ａ：横糸
６ｂ：縦糸
【図１】
0003111478.tif 000003
【図２】
0003111478.tif 000004
【図３】
0003111478.tif 000005